(57)【要約】【課題】重量が重く形状が不揃いな複数の商品を確実に収容できるうえ、その収容状態を確実に維持する。【解決手段】それぞれ一対の端壁１０Ａ，１０Ｂおよび側壁１１Ａ，１１Ｂを備え、これらに天蓋および底蓋を連設し、天蓋は連続したフラップ１８Ａ，１８Ｂ，１９Ａ，１９Ｂからなり、第１上側フラップ１８Ａ，１８Ｂに、互いの間隔が狭くなるように延びる一対の第１折曲線２４，２４を設け、これら第１折曲線２４，２４により、端壁１０Ａ，１０Ｂの外面に重畳する折曲壁部２５と、折曲壁部２５の外面に重畳する重畳壁部２６，２６とに区画した段ボール紙製の包装箱において、折曲壁部２５に、対応する端壁１０Ａ，１０Ｂに設けた被係止部１４に係止する係止部２７を設けるとともに、持ち運び用の把持孔２８を設け、かつ、折曲壁部２５および重畳壁部２６に、横方向に延びる第２折曲線２９および第３折曲線３０を設ける。【選択図】図１
2005335751.tif 000002
【特許請求の範囲】
【請求項１】
横方向に連続するそれぞれ一対の端壁および側壁を備え、これらの上下端縁に天蓋および底蓋を連設し、前記天蓋は、互いに連続したフラップからなり、前記端壁に連続した一対の第１フラップに、対応する端壁の上端両側から互いの間隔が狭くなるように延びる一対の第１折曲線を設け、これら第１折曲線により、略三角形状をなし連続した端壁の外面に重畳する折曲壁部と、前記側壁に連続した一対の第２フラップに連続するとともに前記折曲壁部の外面に重畳する重畳壁部とに区画した段ボール紙製の包装箱において、
前記折曲壁部に、対応する端壁に設けた被係止部に係止する係止部を設けるとともに、持ち運び用の把持孔を設け、かつ、前記折曲壁部および重畳壁部に、横方向に延びる第２折曲線および第３折曲線を設けたことを特徴とする包装箱。
【請求項２】
前記重畳壁部において、前記第３折曲線と第２折曲線との交差部分にスリットを設けたことを特徴とする請求項１に記載の包装箱。
【請求項３】
前記第１折曲線は、前記端壁の境界線とのなす角が４５度より僅かに小さいことを特徴とする請求項１または請求項２に記載の包装箱。
【発明の詳細な説明】
【技術分野】
【０００１】
本発明は、キャベツなどの重量が重く形状が不揃いな複数の商品を収容する包装箱に関するものである。
【背景技術】
【０００２】
従来、青果物は、横方向に連続するそれぞれ一対の端壁および側壁を備え、これらの上下端縁に天蓋および底蓋を連設した包装箱に収容して輸送される。この種の商品は、密閉性が必要ないうえ、形状が不揃いである。そのため、前記天蓋は、各壁からの突出量が小さい（短い）ショートフラップで構成されている。
【０００３】
しかし、青果物の１つであるキャベツは、個々の形状および大きさの差が大きいうえ、重量も重い。そのため、収容したキャベツが四方を囲繞する端壁および側壁の上端から突出することが多く、この場合には天蓋を構成するフラップを確実に封緘状態に維持することができない。
【０００４】
本発明の包装箱とは目的は異なるが、構成が類似する先行技術文献情報としては次のものがある。
【０００５】
【特許文献１】実開平５−８２８１８号公報
【０００６】
この特許文献１では、ケーキ類の包装用として、携帯に便利な手提げ部を設けるとともに、店頭での陳列時には前記手提げ部が邪魔にならないように立方体形状に維持できる包装箱が提供されている。具体的には、この包装箱は、四方を囲繞するそれぞれ一対の端壁および側壁の上端に、互いに連続したフラップからなる天蓋が連設されている。
【０００７】
そのうち、端壁に連続した一対の第１フラップには、対応する端壁の上端両側から互いの間隔が狭くなるように先端縁にかけて延びる一対の折曲線が設けられている。この折曲線により、前記第１フラップは、略三角形状をなす折曲壁部と、前記側壁に連続した一対の第２フラップに連続する重畳壁部とに区画されている。また、一対の第２フラップのうち、一方には前記手提げ部が設けられるとともに、その両側に引掛部が設けられている。さらに、前記第１フラップには、前記引掛部を差し込んで係止するスリットが設けられている。
【０００８】
そして、携帯に便利な持ち運び用として使用する場合には、前記手提げ部を第２フラップに対して折り曲げた状態で、一対の第２フラップの先端が突き合うように側壁に対して折曲げる。また、第１フラップの重畳壁部を折曲線に沿って折り曲げて折曲壁部に重畳させ、上方に立設した手提げ部の引掛部を第１フラップのスリットに通して係止する。
【０００９】
一方、店頭で陳列するために立方体形状とする場合には、手提げ部が対向する第２フラップの下側に位置するように、一対の第２フラップを側壁に対して折り曲げる。また、第１フラップの折曲壁部を端壁に対して外向きに折り曲げるとともに、重畳壁部が折曲壁部の上側に重畳するように折曲線に沿って折り曲げる。そして、略三角形状に折り曲げられた第１フラップを端壁に設けた係止穴に差し込んで係止する。
【００１０】
しかしながら、前記包装箱は、ケーキ類を収容するものであるため、その形成材料はボール紙（単紙）である。しかも、ケーキ類は、四方を囲繞する端壁および側壁の上端から突出することはない。そのため、前記構成で十分に立方体形状に維持できるが、重量が重く、端壁および側壁の上端より突出した状態で収容される可能性がある青果物を収容する段ボール紙製の包装箱には適用できない。
【００１１】
即ち、段ボール紙は、ボール紙と比較して肉厚が厚いうえ、腰（反発力）が強い。そのため、三角形状とした第１フラップを係止穴に差し込む作業が非常に困難である。また、第１フラップを係止穴に差し込んで係止しても反発力により離脱したり、係止穴の縁に破断が生じ、係止さえもできなくなる場合がある。これらの問題は、端壁および側壁の上端から商品が突出するように収容された場合、顕著に現れる。
【発明の開示】
【発明が解決しようとする課題】
【００１２】
そこで、本発明では、重量が重く形状が不揃いな複数の商品を確実に収容できるうえ、その収容状態を確実に維持できる段ボール紙製の包装箱を提供することを課題とするものである。
【課題を解決するための手段】
【００１３】
前記課題を解決するため、本発明の包装箱は、横方向に連続するそれぞれ一対の端壁および側壁を備え、これらの上下端縁に天蓋および底蓋を連設し、前記天蓋は、互いに連続したフラップからなり、前記端壁に連続した一対の第１フラップに、対応する端壁の上端両側から互いの間隔が狭くなるように延びる一対の第１折曲線を設け、これら第１折曲線により、略三角形状をなし連続した端壁の外面に重畳する折曲壁部と、前記側壁に連続した一対の第２フラップに連続するとともに前記折曲壁部の外面に重畳する重畳壁部とに区画した段ボール紙製の包装箱において、前記折曲壁部に、対応する端壁に設けた被係止部に係止する係止部を設けるとともに、持ち運び用の把持孔を設け、かつ、前記折曲壁部および重畳壁部に、横方向に延びる第２折曲線および第３折曲線を設けた構成としている。
【００１４】
この包装箱では、前記重畳壁部において、前記第３折曲線と第２折曲線との交差部分にスリットを設けることが好ましい。
また、前記第１折曲線は、前記端壁の境界線とのなす角が４５度より僅かに小さくすることが好ましい。
【発明の効果】
【００１５】
本発明の包装箱では、前記折曲壁部および重畳壁部に、横方向に延びる第２折曲線および第３折曲線を設けているため、折曲壁部の先端に設けた係止部を対応する端壁の被係止部に作業性よく係止することができる。また、この係止状態では、重畳した折曲壁部および重畳壁部が前記第２折曲線および第３折曲線により屈曲するため、反発力を抑制でき、係止穴の縁に破断を生じさせることもない。しかも、折曲壁部が屈曲することにより、端壁との間に隙間が生じるため、形成した把持孔により箱全体を持ち運ぶことができる。また、包装箱の上端隅部は、複数の壁が複雑に重畳した状態であるため剛性が強く、片手で端壁の内面から折曲壁部の把持孔にかけて把持した状態で持ち運ぶこともできる。
【００１６】
さらに、前記第３折曲線と第２折曲線との交差部分にスリットを設けているため、折曲壁部および重畳壁部の反発力を更に軽減できる。さらにまた、前記第１折曲線は、前記端壁の境界線とのなす角を４５度より僅かに小さくしているため、重畳壁部に連続した第２フラップは、連続する側壁に対して９０度未満の折れ曲がり角度をなす。そのため、折曲壁部および重畳壁部の反発力を更に一層軽減できる。
【発明を実施するための最良の形態】
【００１７】
以下、本発明の実施の形態を図面に従って説明する。
【００１８】
図１から図５は、本発明の実施形態に係る包装箱を示す。この包装箱は、四方を囲繞する一対の端壁１０Ａ，１０Ｂおよび側壁１１Ａ，１１Ｂを備え、これらの上下端縁に天蓋および底蓋を連設したものである。
【００１９】
具体的には、前記包装箱は、表紙および裏紙の間に波状の中しんを配設した周知の段ボール紙を、図示しない周知の紙器打抜装置により連続した一枚のブランクとして打ち抜いて形成されている。
【００２０】
この包装箱のブランクは、図５（Ａ）に示すように、端壁１０Ａ，１０Ｂおよび側壁１１Ａ，１１Ｂが横方向に直線的に連続するように交互に設けられ、一端の端壁１０Ｂの端縁には、他端の側壁１１Ａに貼着するための糊代部１２が連設されている。そして、これら端壁１０Ａ，１０Ｂ、側壁１１Ａ，１１Ｂおよび糊代部１２の各境界部分には、肉厚を圧縮するように罫を入れて形成した折曲線１３が設けられている。
【００２１】
そのうち、端壁１０Ａ，１０Ｂには、後述する第１上側フラップ１８Ａ，１８Ｂを係止するための被係止部１４が設けられている。この被係止部１４は、上向きに湾曲した第１切断線１５と、該第１切断線１５の両端に設けた一対の第２切断線１６と、これら第２切断線１６の上端に設けた第３切断線１７とからなる切り起こし構造のものである。前記第２切断線１６，１６は、上端に向けて互いの間隔が広くなるように傾斜して設けられている。第３切断線１７，１７は、略半円形状のもので、該被係止部１４の端部から破断が生じることを防止するためのものである。
【００２２】
また、前記端壁１０Ａ，１０Ｂおよび側壁１１Ａ，１１Ｂの上端縁には、天蓋を構成する上側フラップ１８Ａ，１８Ｂ，１９Ａ，１９Ｂが連設され、前記糊代部１２の上端縁には、一端の上側フラップ１８Ｂを他端の上側フラップ１９Ａに貼着するための糊代部２０が連設されている。具体的には、端壁１０Ａ，１０Ｂに連設された第１上側フラップ１８Ａ，１８Ｂ、側壁１１Ａ，１１Ｂに連設された第２上側フラップ１９Ａ，１９Ｂ、および、糊代部１２に連設された糊代部２０は、互いに横方向に連続したもので、その各境界部分には、前記と同様の折曲線２１が設けられている。
【００２３】
前記第１上側フラップ１８Ａ，１８Ｂ、第２上側フラップ１９Ａ，１９Ｂおよび糊代部２０には、連続した端壁１０Ａ，１０Ｂ、側壁１１Ａ，１１Ｂおよび糊代部１２との境界部分両側に、組立状態で上端隅部に位置する矩形状の面取部２２が設けられている。そして、これら面取部２２の下端を連続するように、切断線２３ａと折曲線２３ｂとからなるリード罫２３が設けられている。これにより、上側フラップ１８Ａ，１８Ｂ，１９Ａ，１９Ｂの折曲作業性を向上するとともに、折曲状態での反発力を軽減している。なお、本実施形態では、これらを前記リード罫２３に沿って折り曲げた組立状態で、側壁１１Ａ，１１Ｂに連続した第２上側フラップ１９Ａ，１９Ｂの先端縁間に所定の隙間が形成されるショートフラップにより構成している。
【００２４】
そのうち、前記第１上側フラップ１８Ａ，１８Ｂには、対応する端壁１０Ａ，１０Ｂの上端両側である面取部２２の隅部から、互いの間隔が狭くなるように延びる一対の第１折曲線２４，２４が設けられ、これら第１折曲線２４，２４により中央の折曲壁部２５と両側の重畳壁部２６とに区画されている。
【００２５】
図５（Ｂ）に示すように、前記第１折曲線２４，２４は、端壁１０の境界線であるリード罫２３とのなす角θが４５度より僅かに小さくなるように形成されている。これら第１折曲線２４，２４は、なす角θを４５度とした場合、折曲壁部２５に対して重畳壁部２６を折り曲げると、第２上側フラップ１９Ａ，１９Ｂの先端縁が端壁１０Ａ，１０Ｂに対して鉛直に延びるように位置する。この状態で、第１上側フラップ１８Ａ，１８Ｂを端壁１０Ａ，１０Ｂの外側に重畳するように折り曲げると、その折曲部分に強い反発力が生じ、その力が第１上側フラップ１８Ａ，１８Ｂを浮き上げるように作用する。そのため、前記第１折曲線２４，２４のなす角θを４５度より僅かに小さくすることにより、反発力を軽減できるように構成している。具体的には、前記第１折曲線２４，２４のなす角θは、３５度以上で４５度未満とすることが好ましい。ここで、３５度未満とした場合には、第２上側フラップ１９Ａ，１９Ｂが側壁１１Ａ，１１Ｂに対して傾斜し、その先端と四方を囲繞する端壁１０Ａ，１０Ｂおよび側壁１１Ａ，１１Ｂの上端との間に大きな隙間が生じるからである。そして、本実施形態では、前記第１折曲線２４，２４のなす角θは、前記範囲内である４２度としている。
【００２６】
前記折曲壁部２５は略三角形状をなし、連続した端壁１０Ａ，１０Ｂの外面に重畳するように折り曲げられるものである。この折曲壁部２５の先端縁は逆台形状に面取りされており、その先端中央に基部２７ａと凸部２７ｂ，２７ｂとからなる略Ｔ字形状の係止部２７が設けられている。また、折曲壁部２５の中央下部には、横向きに延びる長楕円形状の把持孔２８が設けられている。さらに、この把持孔２８の上端縁には、リード罫２３と平行な横方向に延びる第２折曲線２９が設けられている。この第２折曲線２９は、切断線と折曲線とからなるリード罫により構成されている。
【００２７】
前記重畳壁部２６は、第２上側フラップ１９Ａ，１９Ｂに連続するとともに、前記折曲壁部２５の両側外面に重畳するように折り曲げられるものである。この重畳壁部２６には、第１折曲線２４に沿って折り曲げて前記折曲壁部２５に対して重畳させた状態で、前記第２折曲線２９と一致する第３折曲線３０が設けられている。また、この第３折曲線３０と前記第２折曲線２９との交差部分には、所定の幅を有する溝からなるスリット３１が設けられている。
【００２８】
一方、前記端壁１０Ａ，１０Ｂの下端縁には、底蓋を構成する下側内フラップ３２Ａ，３２Ｂが連設され、前記側壁１１Ａ，１１Ｂの下端縁には、同様に底蓋を構成する下側外フラップ３３Ａ，３３Ｂが連設されている。これら下側内フラップ３２Ａ，３２Ｂおよび下側外フラップ３３Ａ，３３Ｂは、スリット３４により区画された不連続状態のものである。これら下側内フラップ３２Ａ，３２Ｂおよび下側外フラップ３３Ａ，３３Ｂと、各連続した端壁１０Ａ，１０Ｂおよび側壁１１Ａ，１１Ｂとの境界部分には、折曲線３５が設けられている。
【００２９】
このブランクからなる包装箱は、端壁１０Ｂを側壁１１Ｂに対して折り曲げ、連続した糊代部１２，２０に接着剤を塗布した状態で、側壁１１Ａを端壁１０Ａに対して折り曲げることにより、これら端壁１０Ｂと側壁１１Ａ、および、第１上側フラップ１８Ｂと第２上側フラップ１９Ａを貼着した状態で出荷される。
【００３０】
そして、この包装箱にキャベツなどの青果物を収容させる場合、まず、一対の下側内フラップ３２Ａ，３２Ｂを端壁１０Ａ，１０Ｂに対して折り曲げた後、一対の下側外フラップ３３Ａ，３３Ｂを側壁１１Ａ，１１Ｂに対して折り曲げる。ついで、互いに突き合う下側外フラップ３３Ａ，３３Ｂの先端縁を粘着テープ（図示せず）などによって固着する。
【００３１】
これにより、図３に示すように組み立てられた包装箱の上端開口から青果物を収容させた後、上側フラップ１８Ａ，１８Ｂ，１９Ａ，１９Ｂにより封緘する。具体的には、一対の第２上側フラップ１９Ａ，１９Ｂを側壁１１Ａ，１１Ｂに対してリード罫２３に沿って内向きに折り曲げるとともに、一対の第１上側フラップ１８Ａ，１８Ｂを端壁１０Ａ，１０Ｂに対してリード罫２３に沿って外向きに折り曲げ、更にこれら第１上側フラップ１８Ａ，１８Ｂの重畳壁部２６を第１折曲線２４に沿って折曲壁部２５の上側に重畳するように折り曲げる。
【００３２】
ここで、この図４は、折曲壁部２５が端壁１０Ａ，１０Ｂに対して９０度をなすように折り曲げた状態としている。この状態では、前記第１折曲線２４の傾斜角度（θ）により、重畳壁部２６は折曲壁部２５に対して面接触するように重畳せず、連続した第２上側フラップ１９Ａ，１９Ｂを一緒に傾斜した状態をなす。
【００３３】
ついで、第１上側フラップ１８Ａ，１８Ｂの折曲壁部２５および重畳壁部２６を、第２折曲線２９および第３折曲線３０に沿って折り曲げ、折曲壁部２５の先端の係止部２７を端壁１０Ａ，１０Ｂに設けた被係止部１４に差し込むことにより、これらを係止させる。これにより、図１および図２に示すように、包装箱は、その上端開口をフラップ１８Ａ，１８Ｂ，１９Ａ，１９Ｂによって封緘した状態を維持することができる。
【００３４】
このように、本実施形態の包装箱では、折曲壁部２５および重畳壁部２６に、横方向に延びる第２折曲線２９および第３折曲線３０を設けているため、折曲壁部２５の先端の係止部２７を対応する端壁１０Ａ，１０Ｂの被係止部１４に作業性よく係止することができる。
【００３５】
また、この係止状態では、重畳した折曲壁部２５および重畳壁部２６が前記第２折曲線２９および第３折曲線３０により屈曲するため、反発力を抑制でき、係止穴の縁に破断を生じさせることもない。さらに、本実施形態では、前記第３折曲線３０と第２折曲線２９との交差部分にスリット３１を設けているため、折曲壁部２５および重畳壁部２６の反発力を更に軽減することができる。さらにまた、折曲壁部２５と重畳壁部２６とを区画する第１折曲線２４と端壁１０Ａ，１０Ｂの境界線とのなす角θを４５度より僅かに小さくしているため、重畳壁部２６に連続した第２フラップは、連続する側壁１１に対して９０度未満の折れ曲がり角度をなす。そのため、折曲壁部２５および重畳壁部２６の反発力を更に一層軽減できる。しかも、大きさが不揃いなキャベツが、端壁１０Ａ，１０Ｂおよび側壁１１Ａ，１１Ｂの上端より突出した状態で収容されていても、確実に内側に押さえ込むように封緘することができる。
【００３６】
さらに、この封緘状態の包装箱は、前記第２折曲線２９および第３折曲線３０により、折曲壁部２５が屈曲し、端壁１０Ａ，１０Ｂとの間に隙間が生じるため、形成した把持孔２８に簡単に手を差し込んで箱全体を持ち運ぶことができる。また、包装箱の上端隅部は、段ボール紙が複雑に重畳した状態であるため剛性が強く、片手でいずれかの端壁１０Ａ，１０Ｂの内面から折曲壁部２５の把持孔２８にかけて把持した状態で持ち運ぶこともできる。
【００３７】
なお、本発明の包装箱は、前記実施形態の構成に限定されるものではなく、種々の変更が可能である。
【００３８】
例えば、前記実施形態では、第１上側フラップ１８Ａ，１８Ｂの第３折曲線３０と前記第２折曲線２９との交差部分に形成するスリット３１を、所定の幅を有する溝により構成したが、幅がない切断線により構成してもよい。
【図面の簡単な説明】
【００３９】
【図１】本発明の実施形態に係る包装箱を示す斜視図である。
【図２】図１の要部断面図である。
【図３】上端開口を開放した状態を示す斜視図である。
【図４】上端開口を封緘する一工程を示す斜視図である。
【図５】（Ａ）は包装箱のブランクを示す平面図、（Ｂ）は（Ａ）の要部拡大平面図である。
【符号の説明】
【００４０】
１０Ａ，１０Ｂ…端壁
１１Ａ，１１Ｂ…側壁
１４…被係止部
１８Ａ，１８Ｂ…第１上側フラップ
１９Ａ，１９Ｂ…第２上側フラップ
２４…第１折曲線
２５…折曲壁部
２６…重畳壁部
２７…係止部
２８…把持孔
２９…第２折曲線
３０…第３折曲線
３１…スリット
【図１】
2005335751.tif 000003
【図２】
2005335751.tif 000004
【図３】
2005335751.tif 000005
【図４】
2005335751.tif 000006
【図５】
2005335751.tif 000007